(57)【要約】【課題】レンタカー店と観光地等におけるレストランや土産店とが提携したもっと一元的なサービス提供することである。【解決手段】実施形態の情報処理装置は、情報を受信する受信部と、特定場所の位置情報および特典情報を関連付けて記憶する位置記憶部と、レンタカーから送信され前記受信部を介して受信した前記レンタカーが走行した複数の場所の位置を示す走行経路情報が、前記位置記憶部に記憶されている前記特定場所の位置情報を含んでいるか否かを判断する走行経路判断手段と、前記走行経路判断手段が前記特定場所の位置情報を含んでいると判断した場合、当該含まれている特定場所の位置情報に前記位置記憶部で関連付けられている特典情報に基づいて当該レンタカーの使用者に対して特典を付与する付与特典情報を生成する特典生成手段と、前記特典生成手段で生成した前記付与特典情報を決済端末に送信する送信手段と、を備える。【選択図】図８
2015041206.tif 000002
【特許請求の範囲】
【請求項１】
情報を受信する受信部と、
特定場所の位置情報および特典情報を関連付けて記憶する位置記憶部と、
レンタカーから送信され前記受信部を介して受信した前記レンタカーが走行した複数の場所の位置を示す走行経路情報が、前記位置記憶部に記憶されている前記特定場所の位置情報を含んでいるか否かを判断する走行経路判断手段と、
前記走行経路判断手段が前記特定場所の位置情報を含んでいると判断した場合、当該含まれている特定場所の位置情報に前記位置記憶部で関連付けられている特典情報に基づいて当該レンタカーの使用者に対して特典を付与する付与特典情報を生成する特典生成手段と、
前記特典生成手段で生成した前記付与特典情報を決済端末に送信する送信手段と、
を備えた情報処理装置。
【請求項２】
前記位置記憶部は、位置情報として前記特定場所の位置を特定する座標情報を記憶し、
前記走行経路情報は、ＧＰＳ技術を使用して得られた前記レンタカーの位置を特定する複数の座標情報を含み、
前記走行経路判断手段は、前記特定場所の位置を特定する座標情報と前記レンタカーの位置を特定する複数の座標情報に基づいて、前記走行経路情報が前記特定場所や特定地域の位置情報を含んでいるか否かを判断する、
請求項１に記載の情報処理装置。
【請求項３】
前記特典生成手段は、前記特典情報としてポイント値を生成する
請求項１または２に記載の情報処理装置。
【請求項４】
前記特典生成手段は、前記特典情報としてレンタカー料金等の値引情報または割引情報を生成する
請求項１または２に記載の情報処理装置。
【請求項５】
前記走行経路判断手段は、前記レンタカーの走行距離を示す走行距離情報をさらに受信し、
前記特典生成手段は、前記走行距離情報にも基づいて前記特典情報を生成する、
請求項１乃至４のいずれか一に記載の情報処理装置。
【請求項６】
情報を受信する受信部と、特定場所の位置情報および特典情報を関連付けて記憶する位置記憶部を備えたコンピュータに、
レンタカーから送信され前記受信部を介して受信した前記レンタカーが走行した複数の場所の位置を示す走行経路情報が、前記位置記憶部に記憶されている前記特定場所の位置情報を含んでいるか否かを判断する走行経路判断手段と、
前記走行経路判断手段が前記特定場所の位置情報を含んでいると判断した場合、当該含まれている特定場所の位置情報に前記位置記憶部で関連付けられている特典情報に基づいて当該レンタカーの使用者に対して特典を付与する付与特典情報を生成する特典生成手段と、
前記特典生成手段で生成した前記付与特典情報を決済端末に送信する送信手段と、
を実現させるためのプログラム。
【発明の詳細な説明】
【技術分野】
【０００１】
本発明の実施形態は、情報処理装置およびプログラムに関する。
【背景技術】
【０００２】
現状のレンタカーシステムでは、車の走行距離や仕様車種等に応じて、ポイント付与や料金の割り引きのサービスを行っている。
【０００３】
昨今レンタカー業界において、業績を伸ばすために観光地やレストランや土産店と提携し、レンタカーの利用者が、レンタカーを使用して観光地を訪問したり、レストランで食事をしたり、商業施設や土産店で買い物をした場合、値引きや割引きの特典を受けることができる。
【０００４】
このような個別的なサービスは実施されていたが、レンタカー店や観光地・レストラン・商業施設・土産店等からは、レンタカーの利用者に対して、レンタカー店と提携した一元的なサービスの提供を望む声がある。
【発明の概要】
【発明が解決しようとする課題】
【０００５】
本発明が解決しようとする課題は、レンタカーの利用者に対して、レンタカー店と観光地におけるレストランや土産店とが提携した一元的なサービスを提供することができる情報処理装置およびプログラムを提供することである。
【課題を解決するための手段】
【０００６】
実施形態の情報処理装置は、情報を受信する受信部と、特定場所の位置情報および特典情報を関連付けて記憶する位置記憶部と、レンタカーから送信され前記受信部を介して受信した前記レンタカーが走行した複数の場所の位置を示す走行経路情報が、前記位置記憶部に記憶されている前記特定場所の位置情報を含んでいるか否かを判断する走行経路判断手段と、前記走行経路判断手段が前記特定場所の位置情報を含んでいると判断した場合、当該含まれている特定場所の位置情報に前記位置記憶部で関連付けられている特典情報に基づいて当該レンタカーの使用者に対して特典を付与する付与特典情報を生成する特典生成手段と、前記特典生成手段で生成した前記付与特典情報を決済端末に送信する送信手段と、を備える。
【０００７】
実施形態のプログラムは、情報を受信する受信部と、特定場所の位置情報および特典情報を関連付けて記憶する位置記憶部を備えたコンピュータに、レンタカーから送信され前記受信部を介して受信した前記レンタカーが走行した複数の場所の位置を示す走行経路情報が、前記位置記憶部に記憶されている前記特定場所の位置情報を含んでいるか否かを判断する走行経路判断手段と、前記走行経路判断手段が前記特定場所の位置情報を含んでいると判断した場合、当該含まれている特定場所の位置情報に前記位置記憶部で関連付けられている特典情報に基づいて当該レンタカーの使用者に対して特典を付与する付与特典情報を生成する特典生成手段と、前記特典生成手段で生成した前記付与特典情報を決済端末に送信する送信手段と、を実現させる。
【図面の簡単な説明】
【０００８】
【図１】図１は、実施形態のシステム構成を示すシステム図である。
【図２】図２は、サーバのハードウェア構成を示すブロック図である。
【図３】図３は、サーバのメモリの一部を示すメモリマップである。
【図４】図４は、サーバのメモリの一部を示すメモリマップである。
【図５】図５は、サーバのメモリの一部を示すメモリマップである。
【図６】図６は、サーバのメモリの一部を示すメモリマップである。
【図７】図７は、サーバの機能構成を示す機能ブロック図である。
【図８】図８は、サーバの制御処理の流れを示すフローチャートである。
【図９】図９は、サーバの制御処理の流れを示すフローチャートである。
【図１０】図１０は、ＰＯＳ端末のハードウェア構成を示すブロック図である。
【図１１】図１１は、ＰＯＳ端末の制御処理の流れを示すフローチャートである。
【発明を実施するための形態】
【０００９】
以下、図面を参照して一実施形態について説明する。実施形態は、情報処理装置として、サーバを適用して説明する。
【００１０】
図１は、実施形態のシステム構成を示すシステム図である。図１において、サーバ１とＰＯＳ端末２とは、ＬＡＮ（Local  Area  Network）５で接続されている。またサーバ１は、ネットワーク３を介してレンタカー４と接続されている。
【００１１】
サーバ１は、ＰＯＳ端末２やレンタカー４がら情報を収集して管理する。ＰＯＳ端末２は、レンタカー４の利用料金を精算する等の決済処理を実行する。
【００１２】
レンタカー４は、ガソリン車、ディーゼル車、ハイブリッド車、電気自動車等の車であり、車種は問わない。レンタカー４は、内部に走行距離計測部４１、走行経路計測部４２、送信部４３を備えている。レンタカー４は、無線通信技術を使用して、ネットワーク３と接続可能である。
【００１３】
走行距離計測部４１は、レンタカー４が走行した距離を計測して記憶するものであり、車載コンピュータとして搭載されている。走行経路計測部４２は、レンタカー４が走行した経路を計測して記憶する。具体的には、走行経路計測部４２は、ＧＰＳ（Global  Positioning  System）を搭載している。走行経路計測部４２は、このＧＰＳの機能を使用してレンタカー４の位置を特定し、特定場所の位置を経度および緯度でマトリクス状に表す座標情報を記憶する。走行経路計測部４２は、一定時間毎（例えば１分毎）に走行した経路の位置の座標情報（走行経路情報）を記憶する。このようにして記憶された走行経路情報は、走行経路計測部４２は、レンタカー４が立ち寄った特定場所である、観光地、商業施設、遊園地、建物、レストラン、土産店等（以降これらを総称して「観光地等」という）の位置情報の計測に利用される。
【００１４】
送信部４３は、無線等の通信手段を使用してネットワークに接続し、走行距離計測部４１が記憶したレンタカー４の走行距離情報と、走行経路計測部４２が記憶したレンタカー４の走行経路情報を、サーバ１に対して送信する。なお、走行距離情報と走行経路情報とを、総称して走行情報という。
【００１５】
次に、図２〜図９を用いて、実施形態のサーバ１について説明する。まずは、図２〜図６を用いて、実施形態のサーバ１のハードウェア構成について説明する。
【００１６】
図２は、サーバ１のハードウェア構成を示すブロック図である。図２において、サーバ１は、各部を制御するための制御部１００を備えている。制御部１００は、各部を集中的に制御するＣＰＵ（Central  Processing  Unit）１１に、アドレスバス、データバス等のバスライン１５を介して、ＲＯＭ（Read  Only  Memory）１２と、ＲＡＭ（Random  Access  Memory）１３を接続して構成されている。また、制御部１００は、バスライン１５を介して、メモリ部１４とコントローラ１６を接続している。制御部１００は、ＣＰＵ１１が、メモリ部１４に記憶されＲＡＭ１３に展開された制御プログラム１４１に従って動作することによって、後述する制御処理を実行する。
【００１７】
メモリ部１４は、電源を切っても記憶情報が保持されるＨＤＤ（Hard  Disc）やフラッシュメモリ等の不揮発性メモリで構成されており、制御プログラム１４１を含むプログラム等を記憶する。ＲＡＭ１３は、種々の情報を一時的に記憶する。また、メモリ部１４は、後述するポイントマスタ１４２（図３〜図５を参照）と、ポイント情報ファイル１４３（図６を参照）を記憶している。
【００１８】
コントローラ１６は、表示部１７と操作部１８を接続している。コントローラ１６は、制御部１００からの種々の指示に基づいて、表示部１７、操作部１８を制御する。
【００１９】
また、制御部１００は、バスライン１５を介して、ネットワークＩ／Ｆ（Interface）１９とＬＡＮＩ／Ｆ２０を接続している。ネットワークＩ／Ｆ１９は、ネットワーク３を介してレンタカー４から走行情報を受信する。ＬＡＮＩ／Ｆ２０は、ＬＡＮ５を介してＰＯＳ端末２と情報を送受信する。
【００２０】
次に、図３〜図６を用いて、サーバ１のメモリ部１４に記憶されたポイントマスタ１４２とポイント情報ファイル１４３について説明する。図３は、メモリ部１４に記憶されたポイントマスタ１４２の一部を示す図である。図３において、ポイントマスタ１４２は、顧客ＩＤ部１４２１、顧客属性部１４２２、利用回数部１４２３、走行距離ポイント部１４２４、走行距離累計ポイント部１４２５、走行経路ポイント部１４２６、走行経路累計ポイント部１４２７を備えている。
【００２１】
顧客ＩＤ部１４２１は、レンタカー店の会員である顧客を特定する顧客ＩＤ（Identity）を記憶する。顧客属性部１４２２は、顧客ＩＤで特定される顧客の情報、例えば氏名、年齢、住所、電話番号、メールアドレス、家族構成等を記憶する。利用回数部１４２３は、顧客ＩＤで特定される顧客が、今までレンタカー４を利用した回数を記憶する。走行距離ポイント部１４２４は、今回の走行距離から算出された今回の走行距離ポイントを記憶する。走行距離累計ポイント部１４２５は、顧客ＩＤで特定される顧客の、今回の走行距離ポイントを含めた累計走行距離ポイントを記憶する。
【００２２】
走行経路ポイント部１４２６は、今回の走行経路から算出された今回の走行経路ポイントを記憶する。走行経路累計ポイント部１４２７は、顧客ＩＤで特定される顧客の、今回の走行経路ポイントを含めた累計走行経路ポイントを記憶する。
【００２３】
図４は、メモリ部１４に記憶されたポイントマスタ１４２の他の一部を示す図である。図４において、ポイントマスタ１４２は、観光地等の複数の特定の場所や地域（以降総称して「特定場所」という）に対応して、当該特定場所の位置を特定する座標情報を予め記憶する座標情報部１４２８を備えている。図４の例では、場所Ａ〜場所Ｈの８箇所の観光地等の場所を特定するそれぞれの座標を記憶している。また、座標情報部１４２８は、それぞれの座標情報に対応して、それぞれの特定場所を訪問した場合に付与されるポイントがポイント部１４２９を記憶している。なお、ポイント部１４２９に記憶されたポイントの値は、観光地等によって異なっている。これは、より訪れてほしい観光地等のポイントの重み付けを重くしているためである。
【００２４】
図５は、メモリ部１４に記憶されたポイントマスタ１４２のさらに他の一部を示す図である。図５において、ポイントマスタ１４２は、レンタカー４の走行距離と付与するポイントの関係を示す走行距離ポイント情報部１４２９を備えている。図５の例では、走行距離が１００ｋｍまでは１０ポイントを付与し、１０１ｋｍ〜２００ｋｍまでは２０ポイントを付与し、２０１ｋｍ〜３００ｋｍまでは３０ポイントを付与し、３０１ｋｍ以上は４０ポイントを付与する。
【００２５】
図６は、メモリ部１４に記憶されたポイント情報ファイル１４３を示す図である。図６において、ポイント情報ファイル１４３は、レンタカーＩＤ部１４３１、顧客ＩＤ部１４３２、走行距離部１４３３、走行距離ポイント部１４３４、走行経路部１４３５、走行経路ポイント部１４３６を備えている。
【００２６】
レンタカーＩＤ部１４３１は、レンタカー４を特定するレンタカーＩＤを記憶する。顧客ＩＤ部１４３２は、当該レンタカーＩＤのレンタカーをレンタルした顧客の顧客ＩＤを記憶する。レンタカーＩＤ部１４３１に記憶されたレンタカーＩＤと顧客ＩＤ部１４３２に記憶された顧客ＩＤとが関連づけられる。
【００２７】
走行距離部１４３３は、レンタカーＩＤで特定されるレンタカーの今回の走行距離を記憶する。走行距離ポイント部１４３４は、走行距離部１４３３に記憶した走行距離から算出された走行距離ポイントを記憶する。走行経路部１４３５は、レンタカーＩＤで特定されるレンタカーの今回の走行経路において、一定時間毎（例えば１分毎）に計測されるレンタカー４の位置を特定する走行経路情報を記憶する。走行経路ポイント部１４３６は、走行経路部１４３５が記憶した走行経路情報と座標情報部１４２８に記憶した座標情報とから算出した走行経路ポイントを記憶する。
【００２８】
次に、図７〜図９を用いて、実施形態のサーバ１の制御について説明する。図７は、サーバ１の機能構成を示す機能ブロック図である。サーバ１は、制御部１００がメモリ部１４に記憶された制御プログラム１４１等のプログラムに従い動作することで、走行経路判断手段１０１、特典生成手段１０２、送信手段１０３を実現する。
【００２９】
走行経路判断手段１０１は、レンタカー４から送信され受信部を介して受信したレンタカーが走行した複数の場所の位置を示す走行経路情報が、位置記憶部に記憶されている特定場所の位置情報を含んでいるか否かを判断する機能を有する。
【００３０】
特典生成手段１０２は、走行経路判断手段１０１が特定場所の位置情報を含んでいると判断した場合、当該含まれている特定場所の位置情報に前記位置記憶部で関連付けられている特典情報に基づいて当該レンタカー４の使用者に対して特典を付与する付与特典情報を生成する機能を有する。
【００３１】
送信手段１０３は、特典生成手段１０２で生成した付与特典情報を決済端末２に送信する機能を有する。
【００３２】
図８は、サーバ１の制御処理の流れを示すフローチャートである。図８において、制御部１００は、レンタカー４の送信部４３から、走行終了を示す情報とともに、走行情報を受信したか否かを判断する（ステップＳ１１）。受信したと判断した場合は（ステップＳ１１のＹｅｓ）、制御部１００は、走行情報に含まれている走行距離情報を走行距離部１４３３に記憶する（ステップＳ１２）。そして制御部１００は、走行情報に含まれている走行経路情報（座標情報）を走行経路部１４３５に記憶する（ステップＳ１３）。次に制御部１００は、走行距離部１４３３に記憶した走行距離と走行距離ポイント情報部１４２９に記憶された走行距離に対する付与ポイント情報とから、当該レンタカー４の走行距離に対応した今回の走行距離ポイントを生成する（ステップＳ１４）。
【００３３】
具体的には、制御部１００は、走行距離部１４３３に記憶した走行距離が走行距離ポイント情報部１４２９に記憶された走行距離のうち、どの範囲に属するかを判断し、走行距離が１００ｋｍ以下であれば１０ポイントが、１０１ｋｍ〜２００ｋｍであれば２０ポイントが、２０１ｋｍ〜３００ｋｍであれば３０ポイントが、３０１ｋｍ以上であれば４０ポイントを生成する。そして制御部１００は、生成した今回の走行距離ポイントを走行距離ポイント部１４３４に記憶する（ステップＳ１５）。
【００３４】
次に制御部１００は、図９に示す走行経路情報を調査する（ステップＳ１６）。図９において、制御部１００は、ステップＳ１３で走行経路部１４３５に記憶した走行経路情報を読み出す（ステップＳ４１）。また制御部１００は、座標情報部１４２８に予め記憶されている座標情報を読み出す（ステップＳ４２）。そして制御部１００は、読み出した走行経路情報と座標情報とを比較する（ステップＳ４３）。比較した結果、制御部１００（走行経路判断手段１０１）は、走行経路情報に含まれる座標情報があるか否かを判断する（ステップＳ４４）。走行経路情報に含まれる座標情報があると判断した場合は（ステップＳ４４のＹｅｓ）、制御部１００は、含まれている座標情報を抽出する（ステップＳ４５）。
【００３５】
次に制御部１００（特典生成手段１０２）は、抽出した座標情報の数、種類に応じて、今回の走行経路ポイントを算出して生成する（ステップＳ４６）。具体的には、制御部１００は、抽出した観光地等の座標情報に対応したポイント部１４２９に記憶されているポイントを抽出して合計することで、走行経路ポイントを生成している。
【００３６】
制御部１００は、そして制御部１００は、生成した走行経路ポイントを走行経路ポイント部１４３６に記憶する（ステップＳ４７）。なお、走行経路情報に含まれる座標情報がないと判断した場合は（ステップＳ４４のＮｏ）、制御部１００は、走行経路ポイント＝０ポイントを走行経路ポイント部１４３６に記憶する（ステップＳ４８）。
【００３７】
図８の説明に戻る。一方ステップＳ１１において、走行情報を受信していないと判断した場合は（ステップＳ１１のＮｏ）、制御部１００は、ＰＯＳ端末２からレンタカー情報の問合せを受信したか否かを判断する（ステップＳ３１）。受信したと判断した場合は（ステップＳ３１のＹｅｓ）、制御部１００は、レンタカー４の使用に関する決済情報を算出して生成する（ステップＳ３２）。決済情報は、レンタカー４の車種やレンタル日数等に基づいて算出される。
【００３８】
次に制御部１００は、顧客に対して、ポイントを付与するのかレンタル料金から値引するのかを判断する（ステップＳ３３）。顧客は、レンタカーをレンタルするときに、ポイントを付与してもらうかレンタル料金から値引きをしてもらうかを選択する。選択した情報は、ポイント情報ファイル１４３に記憶される。制御部１００は、記憶された選択情報に基づいてステップＳ３３の判断を実行する。
【００３９】
ポイントの付与であると判断した場合は（ステップＳ３３のＹｅｓ）、制御部１００（送信手段１０３）は、走行距離ポイント部１４３４に記憶された走行距離ポイント情報と走行経路ポイント部１４３６に記憶された走行経路ポイント情報とを、利用料金情報とともにＰＯＳ端末２に送信する（ステップＳ３４）。そして制御部１００は、走行距離ポイント部１４３４に記憶された走行距離ポイント情報を、走行距離ポイント部１４２４に記憶し、かつ走行距離累計ポイント部１４２５に累計して記憶する（ステップＳ３５）。また、走行経路ポイント部１４３６に記憶された走行経路ポイント情報を、走行経路ポイント部１４２６に記憶し、かつ走行経路累計ポイント部１４２７に累計して記憶する。
【００４０】
また、ポイント付与ではなくレンタル料金の値引きであると判断した場合は（ステップＳ３３のＮｏ）、制御部１００は、レンタル料金からポイント相当分の値引金額を算出する（ステップＳ３６）。そして制御部１００は、算出した値引金額を、利用料金情報とともにＰＯＳ端末２に送信する（ステップＳ３７）。なお、ステップＳ３１において、レンタカー情報の問合せを受信していないと判断した場合は（ステップＳ３１のＮｏ）、制御部１００は、ステップＳ１１に戻って待機する。
【００４１】
次に、図１０〜図１１を用いて、決済端末であるＰＯＳ端末２について説明する。図１０は、ＰＯＳ端末２のハードウェア構成を示すブロック図である。図１０において、ＰＯＳ端末２は、各部を制御するための制御部２００を備えている。制御部２００は、各部を集中的に制御するＣＰＵ２１に、アドレスバス、データバス等のバスライン２５を介して、ＲＯＭ２２と、ＲＡＭ２３を接続して構成されている。また、制御部２００は、バスライン２５を介して、メモリ部２４とコントローラ２６を接続している。制御部２００は、ＣＰＵ２１が、メモリ部２４に記憶されＲＡＭ２３に展開された制御プログラム２４１に従って動作することによって、後述する制御処理を実行する。
【００４２】
メモリ部２４は、電源を切っても記憶情報が保持されるＨＤＤやフラッシュメモリ等の不揮発性メモリで構成されており、制御プログラム２４１を含むプログラム等を記憶する。ＲＡＭ２３は、種々の情報を一時的に記憶する。
【００４３】
コントローラ２６は、締めキー２７１を有する操作部２７と表示部２８と印字部２９を接続している。コントローラ２６は、制御部２００からの種々の指示に基づいて、操作部２７、表示部２８、印字部２９を制御する。
【００４４】
また、制御部２００は、バスライン２５を介して、ＬＡＮＩ／Ｆ３０を接続している。制御部２００は、ＬＡＮ５を介してサーバ１と接続する。制御部２００は、サーバ１に対し、ＬＡＮ５を介して情報を送受信する。
【００４５】
図１１は、実施形態において、レンタカー４のレンタルが終了した場合のＰＯＳ端末２の制御処理を示すフローチャートである。まず店舗の店員が、ＰＯＳ端末２からレンタカー４の固有の番号であるレンタカーＩＤを入力する。
【００４６】
図１１において、制御部２００は、レンタカーＩＤが入力されたか否かを判断する（ステップＳ５１）。レンタカーＩＤが入力されたと判断した場合は（ステップＳ５１のＹｅｓ）、制御部２００は、当該レンタカーＩＤで特定されるレンタカー４のレンタカー情報をサーバ１に問合せる（ステップＳ５２）。そして制御部２００は、サーバ１から、レンタカー情報である、レンタカーの利用料金情報や付与ポイント情報や値引情報等を受信したか否かを判断する（ステップＳ５３）。受信するまで待機し（ステップＳ５３のＮｏ）、受信したと判断した場合は（ステップＳ５３のＹｅｓ）、制御部２００は、受信したレンタカー情報をＲＡＭ２３に記憶する（ステップＳ５４）。
【００４７】
また、ステップＳ５１において、レンタカーＩＤは入力されていないと判断した場合は（ステップＳ５１のＮｏ）、制御部２００は、決済処理を実行するための締めキー２７１が操作されたか否かを判断する（ステップＳ６１）。締めキー２７１が操作されたと判断した場合は（ステップＳ６１のＹｅｓ）、制御部２００は、ステップＳ５４でＲＡＭ２３に記憶したレンタカーの利用料金に基づいて決済処理を実行する（ステップＳ６２）。その際、制御部２００は、ＲＡＭ２３に料金の値引情報が記憶されている場合は、利用料金から値引処理を実行する。
【００４８】
次に制御部２００は、ＲＡＭ２３に記憶したレンタカー情報にポイント情報が含まれているか否かを判断する（ステップＳ６３）。ポイント情報が含まれていると判断した場合は（ステップＳ６３のＹｅｓ）、制御部２００は、ステップＳ６２で決済した決済情報に加え、今回ポイント情報とこれまでの累計ポイント情報を印字部２９で印字したレシートを発行する（ステップＳ６４）。またポイント情報が含まれていないと判断した場合は（ステップＳ６３のＮｏ）、制御部２００は、ステップＳ６２で決済した決済情報を印字部２９で印字したレシートを発行する（ステップＳ６５）。なお、ステップＳ６１において、決済処理を実行するための締めキー２７１が操作されていないと判断した場合は（ステップＳ６１のＮｏ）、制御部２００は、ステップＳ５１に戻って待機する。
【００４９】
以上説明したように、実施形態によれば、走行経路情報に特定の場所や特定地域の座標情報が含まれている場合は、付与するポイント情報か値引情報を生成する。よって、レンタカー４の使用者に対して特典を付与することができる。したがって、顧客は、観光地等を訪れた場合や、観光地等で食事した場合や、観光地等で買物をした場合に、レンタカー店において一元的なサービスの提供を受けることができる。
【００５０】
また、実施形態によれば、レンタカー会社と観光地等の双方に、レンタカー４を使用した産業の需要を喚起することができる。
【００５１】
また、実施形態によれば、ＧＰＳを使用したレンタカー４の座標情報をレンタカーの走行経路情報とするため、レンタカー４が特定場所や特定地域を走行したかを正確に判断することができる。
【００５２】
また、実施形態では、特典情報として走行経路情報に基づいてポイント情報を生成するため、ポイントを貯めるために特定場所や特定地域を訪れる動機付けとなる。
【００５３】
また、実施形態では、特典情報としてレンタカーの利用料金の値引情報を生成するため、再度同じレンタカーを利用する動機付けとなる。
【００５４】
また、実施形態では、走行経路に対する特典情報に加えて走行距離に対する特典情報をも生成するため、再度同じレンタカーを利用したり、再度特定場所や特定地域を訪れるする動機付けとなる。
【００５５】
なお、実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００５６】
例えば、実施形態では、特定場所や特定地域の位置情報は、特定場所や特定地域を指す座標情報としたが、例えば特定場所や特定地域の電話番号や郵便番号等の場所や地域を特定する情報でもよい。
【００５７】
また、実施形態では、特典情報としてポイント情報とレンタカー料金を値引く値引情報を生成したが、値引情報の他にレンタカー料金を割引く割引情報でもよい。
【００５８】
また、実施形態では、レンタカー４の送信部４３から走行情報をサーバ１に送信したが、走行情報をレンタカー４に設置された着脱自在なメモリに記憶し、レンタル終了時に、このメモリをＰＯＳ端末２に差し込んで、ＰＯＳ端末２から走行情報をサーバ１に送信してもよい。
【００５９】
また、ポイントを付与するかレンタル料金の値引きとするかは、顧客カードに予め記憶しておき、レンタル時にその情報を自動的にサーバ１に送信して記憶させてもよい。
【００６０】
実施形態の情報処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６１】
また、実施形態の情報処理装置で実行されるプログラムを、インターネット等のネットワークに接続されたコンピュータ上に格納し、ネットワーク経由でダウンロードさせることにより提供するように構成してもよい。また、実施形態の情報処理装置で実行されるプログラムをインターネット等のネットワーク経由で提供または配布するように構成してもよい。
【００６２】
また、実施形態の情報処理装置で実行されるプログラムを、ＲＯＭ等に予め組み込んで提供するように構成してもよい。
【符号の説明】
【００６３】
１  サーバ
２  ＰＯＳ端末
４  レンタカー
１９  ネットワークＩ／Ｆ
１００  制御部
１０１  走行経路判断手段
１０２  特典生成手段
１０３  送信手段
１４２  ポイントマスタ
【先行技術文献】
【特許文献】
【００６４】
【特許文献１】特開２００４−２２７３７６号公報
【図１】
2015041206.tif 000003
【図２】
2015041206.tif 000004
【図３】
2015041206.tif 000005
【図４】
2015041206.tif 000006
【図５】
2015041206.tif 000007
【図６】
2015041206.tif 000008
【図７】
2015041206.tif 000009
【図８】
2015041206.tif 000010
【図９】
2015041206.tif 000011
【図１０】
2015041206.tif 000012
【図１１】
2015041206.tif 000013